(57)【特許請求の範囲】
【請求項１】
苗植装置（１）の前方に位置する前車輪（２）を、前車輪（２）を左右に振り替えることによってトーイン形態（Ａ）とトーアウト形態（Ｂ）とに切替可能にして装着してなる苗植機の走行装置。
【請求項２】
支持パイプ（１６）の両側端には下端側が内側へ位置するように傾斜するロッド穴を形成するボス（１７）を設け、該ボス（１７）に挿通される車軸ロッド（２０）の下端には前車輪（２）を回転自在に軸支する前輪軸（２１）を設けた請求項１に記載の苗植機の走行装置。
【発明の詳細な説明】
【０００１】
【発明の属する技術分野】
この発明は、苗植機の走行装置に関するもので、主としてマルチフィルムを敷設した土壌面での走行作業等に利用でき、前車輪の操向による追従性を高めると共に、マルチフイルムを踏み破らないようにして、野菜苗の移植等を行う作業機として利用できる。
【０００２】
【従来の技術】
操向自在の前車輪は、操向の安定、追従性を図るためトーイン形態として設けられるのが一般的である。
【０００３】
【発明が解決しようとする課題】
野菜苗移植用の苗植機の走行では、既に土壌面に敷設されたマルチフィルム上面を走行することが多く、このような場合にトーイン形態の前車輪では、畝が曲がっている所で、とくにマルチフィルムがこの踏み付けによって破られることが多い。
【０００４】
【課題を解決するための手段】
請求項１に記載の発明は、苗植装置（１）の前方に位置する前車輪（２）を、前車輪（２）を左右に振り替えることによってトーイン形態（Ａ）とトーアウト形態（Ｂ）とに切替可能にして装着してなる苗植機の走行装置とする。
【０００５】
請求項２に記載の発明は、支持パイプ（１６）の両側端には下端側が内側へ位置するように傾斜するロッド穴を形成するボス（１７）を設け、該ボス（１７）に挿通される車軸ロッド（２０）の下端には前車輪（２）を回転自在に軸支する前輪軸（２１）を設けた請求項１に記載の苗植機の走行装置とする。
【０００６】
【発明の効果】
請求項１に記載の発明は、マルチフィルムを敷設された土壌面を走行するときは、前車輪２をトーアウト形態Ｂにして操向することによって、左右の前車輪２の接地抵抗によってマルチフィルムは左右の前車輪２間に引き寄せられるようになるが、この間のマルチフィルムには左右への引っ張りが働かないため破れることが少ない。しかも、マルチフィルムの敷設されない土壌面での走行では、トーイン形態Ａに切り替えることによって追従性のよい安定した操向を行うことができる。
【０００７】
また、これら前車輪２のトーイン形態Ａとトーアウト形態Ｂとの切り替えは、左右の前車輪２を振り替えて取付けることによって簡単な構成とし、容易な操作で行うことができる。
【０００８】
【発明の実施の形態】
この発明は、野菜苗を移植する苗植機の走行装置として有効に実施することができ、歩行形態や乗用形態の苗植機として利用できる。このうち歩行形態の苗植機では、車体の重心位置部にエンジンの動力で駆動される駆動車輪を配置し、この後上部に苗供給装置を設けて、この苗供給装置から供給される苗を受けて下降しながら土壌面に植付穴を形成して苗植付を行う植付装置を設けて苗植装置を構成する。前車輪は、これら駆動車輪及び苗植装置の前方において車体の前部に左右一対に配置される。
【０００９】
車体後部の操縦ハンドルの操作によって走行しながら苗植装置による苗植付作業を行わせる。左右一対の駆動車輪及び前車輪は、苗植付土壌面の左右両側にまたぎながら、また苗植付畝土壌面の左右の溝面を走行しながら、苗植付けを行わせるものである。又、土壌面に予め苗植付土壌面にマルチフィルムを敷設した形態では、このマルチフィルム面を車輪で踏み付けながら走行して、マルチフィルムの被覆された土壌面に苗植装置の植付嘴を突き刺して、マルチフィルムから土壌面にわたって植付穴を形成しながら、この植付穴に植付嘴内の苗を植付るものである。
【００１０】
ここにこの発明は次のような形態で実施することができる。請求項１に記載の発明では、苗植装置の前方に位置する前車輪を、トーイン形態とトーアウト形態とに切替可能にして装着してなる苗植機の走行装置の構成とするもので、前車輪を走行土壌面や作業形態等に応じて、トーイン形態とトーアウト形態とに簡単に切り替えて作業することができ、とくにマルチフィルムを敷設した土壌面の走行では、このマルチフィルムの破れを少なくすることができる。
【００１１】
請求項２に記載の発明では、前記前車輪のトーイン形態とトーアウト形態との切替は、前車輪を左右に振り替えることによって行うことを特徴とするもので、左右の車輪を振り替えることによって、トーイン形態とトーアウト形態とを簡単、容易に切替でき、経済的な構成とすることができる。
【００１２】
又、前記苗植装置の植付嘴を、植付苗に応じた大きさや形態等に適合するように、標準形態の植付嘴の外側に付加嘴を着脱する構成とすることを特徴とするもので、苗植付穴の形状や深さ等を苗の大きさや種類に応じたものとして、一部の構成部分の着脱によって、簡単な構成、及び操作で苗植付条件に適した苗植を行わせるものである。
【００１３】
さらには、エンジンの燃料注入口を開閉する燃料キャップに、この燃料注入口から外周にこぼれた燃料を受ける受皿の直上面を被覆するキャップ縁を形成したことを特徴とするもので、簡単な燃料キャップの構成によって、受皿へ泥土や水が入るのを防止して、燃料タンクへの流入を防ぐことができる。
【００１４】
【実施例】
この発明の具体的実施例を図面に基づいて説明する。歩行形態の苗植機は、車体３の左右両側部に、車輪伝動ケース４によってアクスルハウジング５の回りに上下動自在の駆動車輪６が配置され、車体３の前部に搭載のエンジン７の駆動によって伝動回転して走行することができる。この車体３の前部には、左右一対の前車輪２が車輪支持ブラケット８よって装着され、駆動車輪６の前方位置を支持回転する。苗植装置１として苗供給装置９や植付装置１０は、車体３の上方で駆動車輪６の後側部上方に配置されて、植付装置１０による苗植付位置が、左右駆動車輪６の通るトレッド中間部の土壌面に作用する関係にあり、この苗植付部の土壌面を左右一対の土寄せ輪１１で培土鎮圧する形態である。操縦ハンドル１２は車体３後方に一体のハンドルフレーム１３の後端に設けられる。
【００１５】
前記駆動車輪６は、車輪伝動ケース４の後端部から外側へ直交状に軸支される車軸１４に取り付けられて、車体３の進行方向と平行状で垂直面内において回転される。
又、前車輪２は、この駆動車輪６の前方においてトーイン形態Ａとトーアウト形態Ｂとに切替可能にして軸装される。前記車体３前端の車輪支持ブラケット８の中央部には、センタピボット１５によって回動自在の支持パイプ１６が設けられ、この支持パイプ１６の両側端に、ボス１７を一体とするソケット１８が嵌合されて、セットピン１９で固定される。このボス１７は、上下方向に対して下端側が内側へ位置するように、しかも前車輪２１が外側後位に傾斜するロッド穴を形成する。このため、このボス１７に挿通される車軸ロッド２０の下端には前車輪を回転自在に軸支する前輪軸２１が直角状に取り付けられる。この構成で左右の前車輪２は左右対称状に配置されて、トーアウト形態Ｂとして軸支され、左右の前車輪２は前側上側に開いた形態となる（図３）。
【００１６】
前記ボス１７の後側にはソケット２２を有し、内部には操縦ハンドル１２のレバー２３によってワイヤー２４を有してばね２５に抗して出入可能の係止ピン２６を設け、この係止ピン２６を車軸ロッド２０に配置のピン穴２７に嵌合、離脱することによって、前車輪２の高さを調節することができる。２８はこの車輪ロッド２０上端の抜止用ストッパである。又、前記車輪支持ブラケット８と支持パイプ１６とにはピン穴２９が形成されて、これらのピン穴２９に固定ピンを差し込むことによって、支持パイプ１６のセンタピン１５回りのローリングを固定できる。
【００１７】
このような前車輪２のトーアウト形態Ｂからトーイン形態Ａに切り替えるには、前記レバー２３の操作で係止ピン２６を抜いて、車軸ロッド２０を同ボス１７から抜き外して、そのままの向きで左右のボス１７に差し替える。外側に位置する前車輪２は車軸ロッド２０の内側に位置された状態になって、係止ピン２６を差し込んで設定される。このように左右の前車輪２の位置を車軸ロッド２０の差し替えにより左右に振り替えることによって、前車輪２は前開き状態から後開き状態となる。このとき左右前車輪２間のトレッドが狭くなるが、セットピン１９の抜き差しによってソケット１８を外側へ引き出すことによって、トレッド調節を行うことができる。
【００１８】
前記苗供給装置９は、供給フレーム３０の先端部に苗カップ３１を支持して旋回する旋回台３２を設け、この旋回台３２を伝動回転することによって、一定位置の植付嘴３３の上側に位置して間歇的に停止した苗カップ３１の底部が開かれて、この苗カップ３１内に収容されていた苗をこの植付嘴３３内へ落下供給することができる。３４は補助苗載台で、苗カップ３１内へ供給するための苗を搭載する。
【００１９】
この苗カップ３１から落下供給される苗を受けて土壌面に植付ける植付装置１０は、前後一対の平行リンクアーム３５の基部を搖動リンク３６に連結して、それぞれ同期回転のクランクアーム３７で駆動することによって、この平行リンクアーム３５の後端間にわたって上端取付部４０で取り付けられる植付嘴３３の先端に楕円形状の植付軌跡線Ｃを描かせるダブルクランク機構形態の構成としている。この植付嘴３３は、逆円錐形状で、前後に開閉する割型の形態として、上死点の苗を受ける位置から土壌面に差し込まれる下死点位置に下動する行程では閉じて、苗収容姿勢を維持することができ、この下端部で土壌面を被覆されたマルチフィルム面から、この土壌中にわたって植付穴を形成することができ、この植付穴に植付嘴３３の開きによって収容苗を落下させて植付ることができる。
【００２０】
前記植付嘴３３によって植付穴に苗が植付られると、左右両側から、しかもマルチフィルムの上側面から土寄輪１１によって、土壌面が植付穴に押し寄せられて、植付姿勢を固定される。
このような植付嘴３３は、タバコ苗のような大きな苗で葉部が周囲に広く形成される苗のときは、図６のように、前後外周面に付加嘴３８をビス３９によって取り付けて、この付加嘴３８によってすり鉢状の植付穴を形成することができる。又、植付穴を深く形成する場合は、この付加嘴３８の形態を植付嘴３３の外側に、これよりも下方にわたって長く形成される付加嘴を取付けることができる。
【００２１】
前記エンジン７は上側に燃料タンク４１を配置して、上外周をエンジンカバー４２で覆い、このエンジンカバー４２の一部にキャップ穴４３を形成して、燃料タンク４１の注入口４４をのぞませると共に、キャップ４５をねじ込んでこの注入口４４を閉鎖できる。この燃料タンク４１の注入口４４の外周には図７のように皿状の受皿４６を設けて、注入口４４からこぼれた燃料を受けることができる。この受皿４６にはパイプ４７が連結されてこぼれた燃料を燃料タンク４１へ流入させることができる。
【００２２】
この燃料キャップ４５にはキャップ縁４８を有した広縁状のキャップカバー４９を嵌合させて一体構成とする。このキャップ縁４８の外周は、前記受皿４６の外周縁よりも外周部に位置するように形成されて、受皿及びキャップ穴４３上側を覆う形態としている。
【００２３】
このようにして、泥土や水が受皿４６内に入るのを防止することができ、エンジン７の円滑な駆動を維持できる。
【図面の簡単な説明】
【図１】この発明の実施例にかかる苗植機の平面図。
【図２】その側面図。
【図３】その前車輪部の斜視図。
【図４】その前車輪取付部の平面図と正面図。
【図５】その前車輪の取付形態を示す平面図。
【図６】その苗植付装置の植付嘴部の側面図。
【図７】その燃料タンクのキャップ部の側面図と、その一部の斜視図。
【符号の説明】
１  苗植装置
２  前車輪
Ａ  トーイン形態
Ｂ  トーアウト形態
【図１】
0004370676.tif 000002
【図２】
0004370676.tif 000003
【図３】
0004370676.tif 000004
【図４】
0004370676.tif 000005
【図５】
0004370676.tif 000006
【図６】
0004370676.tif 000007
【図７】
0004370676.tif 000008